(57)【要約】【課題】  原稿の全面を適切な力でほぼ均一に押さえつつ画像読み取り装置を小型化する原稿マットを用いた画像読み取り装置を提供する。【解決手段】  原稿が載置される透明な原稿台を有する筐体と、前記原稿台の盤面を覆う閉姿勢と前記原稿台の盤面を開放する開姿勢とに回動可能に前記筐体に連結されている原稿カバーと、前記原稿台の下方に設けられ前記原稿台に載置されている反射原稿を照明する第１の照明部と、前記原稿台の下方に設けられ前記第１の照明部に照明されている前記反射原稿を読み取る読み取りユニットと、前記反射原稿を押さえるための自重で撓む板状の原稿マットであって、前記原稿カバーが閉姿勢のとき上下方向に移動可能に前記原稿カバーに支持されている原稿マットと、を備える画像読み取り装置。【選択図】      図１
2007034180.tif 000002
【特許請求の範囲】
【請求項１】
原稿が載置される透明な原稿台を有する筐体と、
前記原稿台の盤面を覆う閉姿勢と前記原稿台の盤面を開放する開姿勢とに回動可能に前記筐体に連結されている原稿カバーと、
前記原稿台の下方に設けられ前記原稿台に載置されている反射原稿を照明する第１の照明部と、
前記原稿台の下方に設けられ前記第１の照明部に照明されている前記反射原稿を読み取る読み取りユニットと、
前記反射原稿を押さえるための自重で撓む板状の原稿マットであって、前記原稿カバーが閉姿勢のとき上下方向に移動可能に前記原稿カバーに支持されている原稿マットと、
を備える画像読み取り装置。
【請求項２】
前記原稿カバーに設けられ前記原稿台に載置されている透過原稿を照明する第２の照明部を更に備え、
前記原稿マットは前記原稿カバーに脱着可能に支持されている請求項１に記載の画像読み取り装置。
【請求項３】
前記原稿マットは、前記反射原稿を押さえるシートと、前記シートを張った状態で支持する板状のフレームとによって構成されている請求項１又は２に記載の画像読み取り装置。
【請求項４】
前記フレームは、一つ以上の開口が形成されている請求項３に記載の画像読み取り装置。
【請求項５】
前記シートの前記フレーム側を向く面の外周部は、一部が前記フレームに接着され、前記外周部の他の部分は接着されていない請求項３又は４に記載の画像読み取り装置。
【請求項６】
前記シートは矩形に形成されており、前記シートの辺であって前記原稿カバーの回動軸線に平行な２辺のうち少なくとも前記回動軸線から遠い側の辺は前記フレームに接着されている請求項５に記載の画像読み取り装置。
【請求項７】
前記原稿マットは、前記原稿カバーが閉姿勢のとき前記原稿マットが所定の高さまで移動すると前記原稿カバーに当接してそれ以上の上方向への移動を規制する規制部を有する請求項１〜６のいずれか一項に記載の画像読み取り装置。
【請求項８】
前記規制部は、前記原稿カバーに当接することにより、所定の厚さ以上の原稿の下面と前記原稿台の盤面との距離を前記読み取りユニットの被写界深度内に抑える請求項７に記載の画像読み取り装置。
【発明の詳細な説明】
【技術分野】
【０００１】
本発明は、画像読み取り装置に関する。
【背景技術】
【０００２】
原稿台に載置されている反射原稿を照明する第１の照明部と、原稿カバーに設けられ原稿台に載置されている透過原稿を照明する第２の照明部とを備える画像読み取り装置が知られている。こうした画像読み取り装置では、反射原稿を読み取るときは原稿カバーに原稿マットを取り付けて反射原稿を押さえ、透過原稿を読み取るときは原稿カバーから原稿マットを取り外して読み取っている。
【０００３】
一般に原稿マットはスポンジやウレタンフォームを備えている（例えば特許文献１参照）。スポンジやウレタンフォームを備えると、原稿の凹凸をスポンジやウレタンフォームで吸収できるとともに、原稿カバーの重さがスポンジやウレタンフォームによって分散されるので原稿全体をほぼ均一な力で抑えることができる。しかしながら、スポンジやウレタンフォームを用いると、その分だけ筐体の体格が高さ方向に大きくなるという問題がある。
【０００４】
例えばスポンジやウレタンフォームを用いずに板状の部材で原稿マットを形成すると、筐体の高さを低くすることができる。しかしながら、板状の部材で原稿マットを形成すると、原稿カバーの重量が原稿全体に均一に分散されず、原稿が局所的に過剰な力で原稿台に押し付けられてしまうという問題がある。原稿が局所的に過剰な力で原稿台に押し付けられると、過剰な力で押し付けられた部分がシミのように黒ずんで読み取られる現象が起きることがあり、それにより画質が低下するという問題がある。
【特許文献１】特許第３１６３７５５号公報
【発明の開示】
【発明が解決しようとする課題】
【０００５】
本発明は、上述の問題に鑑みて創作されたものであって、原稿の全面を適切な力でほぼ均一に押さえつつ画像読み取り装置を小型化する原稿マットを用いた画像読み取り装置を提供することを目的とする。
【課題を解決するための手段】
【０００６】
（１）上記目的を達成するための画像読み取り装置は、原稿が載置される透明な原稿台を有する筐体と、前記原稿台の盤面を覆う閉姿勢と前記原稿台の盤面を開放する開姿勢とに回動可能に前記筐体に連結されている原稿カバーと、前記原稿台の下方に設けられ前記原稿台に載置されている反射原稿を照明する第１の照明部と、前記原稿台の下方に設けられ前記第１の照明部に照明されている前記反射原稿を読み取る読み取りユニットと、前記反射原稿を押さえるための自重で撓む板状の原稿マットであって、前記原稿カバーが閉姿勢のとき上下方向に移動可能に前記原稿カバーに支持されている原稿マットと、を備える。
本発明によると、原稿マットが板状であるためスポンジやウレタンフォームを用いる場合に比べて原稿マットを薄くでき、それにより画像読み取り装置の高さを低くできる。また、原稿マットは原稿カバーが閉姿勢のとき上下方向に移動可能に支持されているので、原稿カバーが閉姿勢になると原稿マットは原稿の厚みによって上方に持ち上がる。すなわち、原稿には原稿カバーの重さは加わらず、原稿マットの重さだけが加わる。これにより、原稿カバーの重さが原稿の特定の箇所に過剰に作用することを防止でき、画質の低下を防止できる。更に、原稿マットは自重で撓むので、原稿に凹凸があっても原稿マットが撓むことにより原稿の全面をほぼ均一に押さえることができる。よって本発明によると、原稿の全面を適切な力でほぼ均一に押さえつつ画像読み取り装置を小型化できる。
【０００７】
（２）前記原稿カバーに設けられ前記原稿台に載置されている透過原稿を照明する第２の照明部を更に備え、前記原稿マットは前記原稿カバーに脱着可能に支持されてもよい。
【０００８】
（３）前記原稿マットは、前記原稿を押さえるシートと、前記シートを張った状態で支持する板状のフレームとによって構成されていてもよい。
【０００９】
（４）前記フレームは、一つ以上の開口が形成されていてもよい。
板状のフレームに開口を形成すると、開口が形成されていない場合に比べてフレームが撓みやすくなるので、凹凸のある原稿の全体をより均一に押さえることができる。
【００１０】
（５）前記シートの前記フレーム側を向く面の外周部は、一部が前記フレームに接着され、前記外周部の他の部分は接着されていなくてもよい。
本発明によると、原稿カバーを開く際にシートの外周部は接着されている一部がフレームとともに先に持ち上がり、他の部分は遅れて持ち上がる。外周部の一部が先に持ち上がると、先に持ち上がった一部と原稿台との間に隙間ができ、その隙間から空気が入り込むことにより、シートが原稿台に吸着することなく原稿カバーをスムーズに持ち上げることができる。
【００１１】
（６）前記シートは矩形に形成されており、前記シートの辺であって前記原稿カバーの回動軸線に平行な２辺のうち少なくとも前記回動軸線から遠い側の辺は前記フレームに接着されていてもよい。
回動軸線に平行な２辺のうち少なくとも回動軸線から遠い側の辺は、原稿カバーを閉姿勢から開姿勢に回動させる際に最初に持ち上がる辺なので、最初に持ち上がる辺をフレームに接着して確実に原稿台から離れるようにすることにより、シートが原稿台からより離れ易くなる
【００１２】
（７）前記原稿マットは、前記原稿カバーが閉姿勢のとき前記原稿マットが所定の高さまで移動すると前記原稿カバーに当接してそれ以上の上方向への移動を規制する規制部を有してもよい。
本発明によると、原稿の厚さが所定の高さ分よりも厚い場合、原稿マットは所定の高さより上方まで持ち上がり、原稿カバーは規制部に当接して浮き上がった状態になる。これにより原稿に原稿カバーの重さが加わるので、厚みのある原稿を押さえることができる。
【００１３】
（８）前記規制部は、前記原稿カバーに当接することにより、所定の厚さ以上の原稿の下面と前記原稿台の盤面との距離を前記読み取りユニットの被写界深度内に抑えてもよい。
本発明によると、原稿が原稿台の盤面から浮いてしまっても原稿と原稿台の盤面との距離を被写界深度内に押さえることができ、原稿を鮮明に読み取ることができる。
【発明を実施するための最良の形態】
【００１４】
以下、実施例に基づいて本発明の実施の形態を説明する。
図２は、本発明の一実施例に係る画像読み取り装置としてのイメージスキャナ１０の構造を示す模式図である。イメージスキャナ１０は原稿台１６を備えるフラットベッド型で、密着型のイメージセンサ２０を備える画像読み取り装置である。
【００１５】
原稿台１６は、ガラス板等の透明板で形成され、その盤面上に透過原稿及び反射原稿が載置される。透過原稿は例えばストリップフィルム、マウントフィルム等の現像済み写真フィルムである。透過原稿は図示しないホルダに係止された状態で原稿台１６に載置されてもよいし、そのまま原稿台１６に載置されてもよい。原稿台１６は、筐体としてのメインハウジング３００の原稿ガイド３０２に固定されている。
【００１６】
メインキャリッジ２４は反射原稿照明部２２、セルフォックレンズアレイ（ＳＬＡ）１８、およびリニアイメージセンサ２０を搭載している。メインキャリッジ２４はサブキャリッジ３５上にばね３４によって支持されている。メインキャリッジ２４はばね３４に押されることによって原稿台１６に密着する。このためメインキャリッジ２４に搭載されたＳＬＡ１８及びリニアイメージセンサ２０が光軸方向に正確に位置決めされる。サブキャリッジ３５に固定されているリング４４は副走査方向に架設されているガイドロッド３６に沿って摺動する。サブキャリッジ３５はプーリ３８及びプーリ４６にかけられたベルト４２に結合されている。プーリ３８はモータ４０によって駆動される。モータ４０が回転するとサブキャリッジ３５とともにメインキャリッジ２４が原稿台１６に沿って副走査方向に移動する。
【００１７】
ＳＬＡ１８はセルフォックレンズの配列方向が主走査方向に一致する姿勢でメインキャリッジ２４に固定されている。ＳＬＡ１８はリニアイメージセンサ２０の受光面に反射原稿の正立等倍像を結像させる。
読み取りユニットとしてのリニアイメージセンサ２０は光電変換素子の配列方向が主走査方向に一致する姿勢でメインキャリッジ２４のＳＬＡ１８の直下に固定されている。リニアイメージセンサ２０は多数のフォトダイオード等からなる光電変換部とＣＣＤやＣＭＯＳ等の電荷転送部とで構成されている。
【００１８】
第１の照明部としての反射原稿照明部２２は、導光体、ＬＥＤ等で構成され、導光体の長手方向が主走査方向に一致する姿勢でメインキャリッジ２４のＳＬＡ１８の近傍に固定されている。
原稿カバーとしてのサブハウジング１００は、第２の照明部としての透過原稿照明部２６を収容し、図示しないヒンジにより原稿台１６の盤面を開放する姿勢から原稿台１６の盤面を覆う姿勢に回動可能にメインハウジング３００に連結されている。透過原稿照明部２６は蛍光管、導光体等で構成されている。
【００１９】
原稿マット２００は、サブハウジング１００に脱着可能に支持されている。原稿マット２００は原稿台１６の盤面に載置されている反射原稿を押さえて反射原稿を原稿台１６に密着させるものである。原稿マット２００は反射原稿を読み取る際にサブハウジング１００に装着され、フィルム等の透過原稿を読み取る際に取り外される。
【００２０】
図３は、イメージスキャナ１０の電気的構成を示すブロック図である。
ＣＰＵ６４はＲＯＭ６６に記憶されている制御プログラムを実行してイメージスキャナ１０の各部を制御する。ＲＯＭ６６は制御プログラムを記憶している不揮発性メモリである。ＲＡＭ７０は制御プログラム、スキャン画像データなどを一時的に記憶するメモリである。ＲＡＭコントローラ６８は、ＣＰＵ６４、ＡＦＥ部７６、画像処理部７４、外部インタフェース７２及びＲＡＭ７０の間のデータ転送を制御する。
【００２１】
ＬＥＤ等の反射原稿用光源５０はインバータ回路、制御回路等から構成される光源コントローラ５２によって点灯及び消灯が制御される。反射原稿用光源５０及び光源コントローラ５２は反射原稿照明部２２を構成している。
蛍光管等の透過原稿用光源５４は、インバータ回路、制御回路等から構成される光源コントローラ５６によって点灯及び消灯が制御される。透過原稿用光源５４及び光源コントローラ５６は透過原稿照明部２６を構成している。
【００２２】
リニアイメージセンサ２０はゲートパルス信号、シフトパルス信号等の制御パルス信号を出力するセンサコントローラ５８によって制御される。
メインキャリッジ２４を副走査方向に移動させるモータ４０は制御パルスを出力する副走査コントローラ６２によって制御される。
アナログフロントエンド（ＡＦＥ）部７６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像データをＲＡＭコントローラ６８を介してＲＡＭ７０に格納する。
【００２３】
画像処理部７４は、ＲＡＭ７０に記憶されているスキャン画像データに対し、ガンマ補正、シェーディング補正等の画像処理を施すための信号処理をＣＰＵ６４と協働して行うＤＳＰ（Digital Signal Processor）である。
外部インタフェース７２はイメージスキャナ１０とＰＣ等の外部システムとを通信可能に接続する。
【００２４】
次に原稿マット２００について説明する。
図４は、原稿マット２００の裏側の斜視図である。原稿マット２００はフレーム２０１と矩形のシート２０２とを有している。フレーム２０１はプラスチックで平板状に形成されており、複数の矩形の開口２０３が縦方向および横方向に整列して形成されている。板状のフレーム２０１に複数の開口２０３を形成すると、開口２０３が形成されていない場合に比べてフレーム２０１が撓みやすくなるので、フレーム２０１が撓むことにより、凹凸のある原稿の全体をより均一に押さえることができる。フレーム２０１の反シート２０２側の面２０１ａには厚さ方向に突出する複数の規制部２０４が形成されている。本実施例では原稿マット２００はサブハウジング１００が閉姿勢にあるとき上下方向に移動可能にサブハウジング１００に係止され、複数の規制部２０４は原稿マット２００が上方向に移動したときサブハウジング１００に当接して原稿マット２００がそれ以上に上方向へ移動することを規制するために設けられている。また、フレーム２０１の１辺にはサブハウジング１００に設けられているフック１０８に係止される係止部２０５が形成されており、係止部２０５が形成されている辺に対抗する辺には２つの差込部２０６が形成されている。
【００２５】
図５は、原稿マット２００の表側の正面図である。シート２０２はポリエステルフィルム等で原稿台１６の読み取り領域を完全に覆う広さに形成されている。シート２０２の下面は白色である。シート２０２は外周部の１部がフレーム２０１に接着されており、外周部の他の部分はフレーム２０１に接着されていない。具体的には、本実施例ではサブハウジング１００の回動軸線Ａ（図６参照）に平行な２辺２０２ａおよび２０２ｂが両面粘着テープ２０７でフレーム２０１に接着されており、シート２０２はフレーム２０１に張った状態で支持されている。シート２０２の短手方向に延びる２つの辺はフレーム２０１に接着されていない。
【００２６】
図６は、原稿マット２００が装着されている状態のサブハウジング１００の下面側を示す正面図である。図中の仮想線Ａはサブハウジング１００の回動軸線を示している。差込部２０６は、原稿マット２００の第一端部２０８に互いに離間して２つ設けられている。尚、原稿マット２００を長方形としてみたときの特定の辺の近傍を端部というものとする。
【００２７】
図７は、原稿マット２００が取り外された状態のサブハウジング１００の下面側を示す正面図である。透過原稿照明部２６は、原稿マット２００によって覆われる位置に設けられている。二つの掛け止め部の開口１０４の配列方向は、サブハウジング１００の回動軸線Ａと平行である。位置決め部の開口１０２及び回転規制部の開口１０６はそれぞれ、掛け止め部の開口１０４の近傍に設けられている。位置決め部の開口１０２は円形である。回転規制部の開口１０６は、サブハウジング１００の回転軸の方向（位置決め部の開口１０２及び回転規制部の開口１０６の配列方向）に長い楕円である。
【００２８】
図８は、サブハウジング１００の掛け止め部の拡大図、図９は原稿マット２００の差込部２０６の拡大図、図１０は原稿マット２００がサブハウジング１００に装着されている状態におけるサブハウジング１００の掛け止め部の断面図である。
掛け止め部の開口１０４は、差込部２０６を緩く挿入できるように構成されている。開口１０４はサブハウジング１００の壁面によって囲まれている。開口１０４の内側にはサブハウジング１００の壁面に囲まれた空洞１０７が形成されている。空洞１０７は、差込部２０６を収容できるように構成されている。掛け止め部は開口１０４と、空洞１０７と、開口１０４及び空洞１０７を囲むサブハウジング１００の壁面によって構成されている。
【００２９】
第一突部２０９は、差込部２０６に設けられている。第一突部２０９が設けられる位置は、原稿マット２００が原稿台１６に載置された状態において原稿台１６の読み取り領域原点に最も近くなる原稿マット２００の角部の近傍である。第一突部２０９は概略円柱状に形成され、原稿マット２００の板厚方向に突出している。第一突部２０９の直径は位置決め部の開口１０２の直径とほぼ同じで、第一突部２０９が位置決め部の開口１０２に挿入されると、第一突部２０９の側壁面と位置決め部の開口１０２を囲むサブハウジング１００の外壁面とが圧接する関係に設定されている。位置決め部の開口１０２への挿入を容易にするため、第一突部２０９の角部を面取りすることが望ましい。第一突部２０９の先端面と開口１０２の底壁を形成するサブハウジング１００の外壁面との間には、上下方向に０．５ｍｍよりも広い遊びＳが設けられている。
【００３０】
第二突部２１０（図２参照）は、原稿マット２００の第一端部２０８の第一突部２０９から離間した位置に設けられている。第二突部２１０の形状は第一突部２０９と実質的に同一である。回転規制部の開口１０６が上述したような楕円であるため、第二突部２１０は、第一突部２０９及び第二突部２１０の配列方向に垂直な方向にきつく、第一突部２０９及び第二突部２１０の配列方向に緩く回転規制部の開口１０６に挿入される。このような寸法設定は、第一突部２０９と第二突部２１０との間隔と、位置決め部の開口１０２と回転規制部の開口１０６との間隔が成形時にずれたとしても回転規制部の開口１０６に第二突部２１０を確実に挿入でき、かつ第一突部２０９を中心として原稿マット２００が回転しないようにするためである。第二突部２１０の先端面と開口１０６の底壁を形成するサブハウジング１００の外壁面との間にも同様に上下方向に０．５ｍｍよりも広い遊びが設けられている。
【００３１】
図１１は、フック１０８および係止部２０５の断面図である。なお図１１ではシート２０２を省略して示している。係止部２０５は、サブハウジング１００が閉姿勢にあるとき係止部２０５の真上にあるサブハウジング１００の壁との間に０．５ｍｍよりも広い遊びｋができるように高さが設計されている。
図１２（Ａ）は図６に示すＢ−Ｂ線の断面図であり、図１２（Ｂ）は図１２（Ａ）に示す破線Ｂで囲まれる領域の拡大図である。図１２（Ａ）ではメインハウジング３００の上部、サブハウジング１００、フレーム２０１および原稿台１６のみを示し、その他の構成要素については省略している。図１２（Ａ）ではサブハウジング１００とメインハウジング３００とは当接していないが、サブハウジング１００の図示しない箇所がメインハウジング３００の図示しない箇所に当接することにより、サブハウジング１００は図１２（Ａ）に示す閉姿勢で定位する。
【００３２】
図１２（Ｂ）に示すように、規制部２０４は、サブハウジング１００が閉姿勢にあり且つ原稿台１６に原稿が載置されていないとき規制部２０４と規制部２０４の真上にあるサブハウジング１００の壁との間に遊びＬができるように高さが設計されている。図１２（Ｂ）では一つの規制部２０４のみを示しているが、他の規制部２０４についても同様にサブハウジング１００との間に遊びＬを持たせてある。ここで遊びＬは具体的には例えば０．５ｍｍ程度である。サブハウジング１００が閉姿勢にあり且つ原稿台１６に原稿が載置されていないとき、原稿マット２００は概ね０．５ｍｍの範囲内で上下動が可能である。
【００３３】
次に、原稿マット２００が原稿を抑える作動について説明する。
図１（Ａ）は、原稿の厚みが０．５ｍｍ以下の平坦な原稿Ｍ１を押さえる作動を説明するための模式図である。厚みが０．５ｍｍ以下の原稿Ｍ１は具体的には例えば１枚の紙である。サブハウジング１００が閉姿勢になると原稿マット２００は原稿Ｍ１の厚みの分だけ上に持ち上がるが、原稿Ｍ１の厚みが０．５ｍｍ以下であれば原稿マット２００の規制部２０４はサブハウジング１００の下面に当接しない。従って原稿Ｍ１には原稿マット２００の重さのみが加わる。すなわち、原稿マット２００は自重によって原稿Ｍ１を押さえる。原稿マット２００は自重のみで原稿Ｍ１を押さえるので原稿Ｍ１にはサブハウジング１００の重さは加わらず、これにより原稿Ｍ１が局所的に過剰に押さえられることを防止できる。これにより、原稿の一部が過剰に押さえられてシミのように黒ずんで読み取られることを防止できる。
【００３４】
図１（Ｂ）は、山折りの折り目がある原稿Ｍ２を押さえる作動を説明するための模式図である。ここで原稿Ｍ２の厚みは０．５ｍｍ以下であるものとする。原稿Ｍ２に山折りの折り目がある場合、原稿マット２００が自重で原稿Ｍ２を抑えることによって折り目の高さは低くなるものの、それでも完全に平坦になるとは限らず、図１（Ｂ）に示すように依然として一部が高いままの場合もある。この場合、原稿マット２００は両端が自重で撓むことにより原稿Ｍ２の両端を原稿台１６に押し付ける。これにより、原稿Ｍ２のほぼ全面を押さえることができる。
【００３５】
図１（Ｃ）は、０．５ｍｍより厚い原稿Ｍ３を押さえる作動を説明するための模式図である。原稿Ｍ３が０．５ｍｍより厚い場合、図示するようにサブハウジング１００は原稿マット２００の規制部２０４に当接し、メインハウジング３００から浮いた状態になる。この状態のときサブハウジング１００は原稿マット２００のみによって支持されており、原稿マット２００にはサブハウジング１００のほぼ全荷重が加わり、原稿Ｍ３は原稿マット２００の重さとサブハウジング１００の重さとによって押さえられる。例えば本のような厚い原稿Ｍ３は、原稿マット２００の自重のみでは十分に押さえることができない。この場合、図１（Ｃ）に示すように原稿Ｍ３にはサブハウジング１００の重さも加わるので、厚い原稿Ｍ３をより確実に押さえることができる。
【００３６】
次に、原稿マット２００が原稿と原稿台１６の盤面との距離を被写界深度内に押さえる作動について説明する。
図１３は、原稿マット２００が原稿と原稿台１６の盤面との距離を被写界深度内に押さえる作動を説明するための模式図である。仮に原稿Ｍの厚みＬ１が０．２ｍｍであるとし、読み取りユニットの被写界深度Ｌ２が原稿台１６の原稿載置面１６ａから上方に０．３ｍｍであるとする。この場合、原稿マット２００が原稿載置面１６ａから上方向に移動可能な距離Ｌ３を０．５ｍｍ以内にすれば、例え原稿Ｍの一部が原稿載置面１６ａから浮いてしまっても原稿Ｍの下面全体は原稿載置面１６ａから０．３ｍｍ以内に抑えられる。本実施例では原稿Ｍの厚みを０．２ｍｍと想定し、原稿マット２００の上方向への移動を０．５ｍｍ以内にしている。これにより原稿Ｍの下面全体が確実に原稿載置面１６ａから０．３ｍｍ以内に納まり、原稿Ｍを鮮明に読み取ることができる。「０．５ｍｍ」は特許請求の範囲に記載の「所定の高さ」に相当し、「０．２ｍｍ」は特許請求の範囲に記載の「所定の厚み」に相当する。なお、「所定の高さ」や「所定の厚み」はイメージセンサの被写界深度や読み取る原稿の厚みに応じて適宜選択可能な設計事項である。
【００３７】
次に、サブハウジング１００を開くときの原稿マット２００の作動について説明する。
図１４は、シート２０２が原稿台１６から離間する様子を示す模式図である。前述したようにシート２０２は外周部の１部のみがフレーム２０１に接着されており、外周部の他の部分はフレーム２０１に接着されていない。仮に４辺が全てフレーム２０１に接着されているとすると、サブハウジング１００を開いたときシート２０２の４辺全てが一斉に原稿台１６から離間しようとする。この結果、シート２０２は負圧によって原稿台１６に吸盤のように吸着した状態になってしまい、無理にサブハウジング１００を開くと原稿マット２００がサブハウジング１００から外れてしまう可能性がある。これに対し、シート２０２の外周部の１部のみをフレーム２０１に接着すると接着されている部分が先に原稿台１６から離間するので、離間した部分と原稿台１６との間から空気が流入し、シート２０２がスムーズに原稿台１６から離間する。これにより、サブハウジング１００を開いたときに原稿マット２００が外れてしまうことを防止できる。シート２０２を接着する場合、図６に示すようにサブハウジング１００の回動軸線Ａに平行な２辺のうち少なくとも回動軸線Ａから遠い側の辺２０２ａをフレーム２０１に接着するとよい。図１４に示すように辺２０２ａはサブハウジング１００を閉姿勢から開姿勢に回動させる際に最初に持ち上がる辺なので、最初に持ち上がる辺をフレーム２０１に接着して最初に持ち上がる辺が確実に原稿台１６から離れるようにすることにより、シート２０２が原稿台１６からより離れ易くなる
【００３８】
以上説明した本発明の一実施例に係るイメージスキャナ１０によると、原稿マット２００が板状であるためスポンジやウレタンフォームを用いる場合に比べて原稿マットを薄くでき、それによりイメージスキャナ１０の高さを低くできる。また、原稿マット２００はサブハウジング１００が閉姿勢のとき上下方向に移動可能に支持されており、原稿の厚みが０．５ｍｍ未満のときはサブハウジング１００が閉姿勢になると原稿の厚みによって上方に持ち上がる。すなわち、原稿にはサブハウジング１００の重さは加わらず、原稿マット２００の重さだけが加わる。これにより、サブハウジング１００の重さが原稿の特定の箇所に過剰に作用することを防止でき、当該箇所の画質が低下することを防止できる。更に、サブハウジング１００は自重で撓むので、原稿に凹凸があっても原稿マット２００が撓むことにより原稿の全面をほぼ均一に押さえることができる。よって本発明によると、原稿の全面を適切な力でほぼ均一に押さえつつイメージスキャナ１０を小型化できる。
【００３９】
また、スポンジやウレタンフォームを用いないので、その分のコストが不要になり、原稿マットのコストを低減できるという効果もある。
【図面の簡単な説明】
【００４０】
【図１】（Ａ）、（Ｂ）および（Ｃ）は本発明の一実施例に係る原稿マットが原稿を押さえる様子を示す模式図。
【図２】本発明の一実施例に係る画像読み取り装置の構造を示す模式図。
【図３】本発明の一実施例に係る画像読み取り装置のブロック図。
【図４】本発明の一実施例に係る原稿マットの裏側の斜視図。
【図５】本発明の一実施例に係る原稿マットの表側の正面図。
【図６】本発明の一実施例に係る原稿カバーの下面側を示す正面図。
【図７】本発明の一実施例に係る原稿カバーの下面側を示す正面図。
【図８】本発明の一実施例に係る原稿カバーの掛け止め部の拡大図。
【図９】本発明の一実施例に係る原稿マットの差込部の拡大図。
【図１０】本発明の一実施例に係る原稿カバーの掛け止め部の断面図。
【図１１】本発明の一実施例に係るフックおよび係止部の断面図。
【図１２】（Ａ）は図６に示すＢ−Ｂ線の断面図であり、（Ｂ）は図１２（Ａ）に示す破線Ｂで囲まれる領域の拡大図。
【図１３】本発明の一実施例に係る原稿マットの模式図。
【図１４】本発明の一実施例に係るシートが原稿台から離間する様子の模式図。
【符号の説明】
【００４１】
１０  イメージスキャナ（画像読み取り装置）、１６  原稿台、１６ａ  原稿載置面（盤面）、２０  イメージセンサ（読み取りユニット）、２２  反射原稿照明部（第１の照明部）、２６  透過原稿照明部（第２の照明部）、１００  サブハウジング（原稿カバー）、２００  原稿マット、２０１  フレーム（原稿マット）、２０２  シート（原稿マット）、２０３  開口、２０４  規制部、３００  メインハウジング（筐体）、Ａ  回動軸線
【図１】
2007034180.tif 000003
【図２】
2007034180.tif 000004
【図３】
2007034180.tif 000005
【図４】
2007034180.tif 000006
【図５】
2007034180.tif 000007
【図６】
2007034180.tif 000008
【図７】
2007034180.tif 000009
【図８】
2007034180.tif 000010
【図９】
2007034180.tif 000011
【図１０】
2007034180.tif 000012
【図１１】
2007034180.tif 000013
【図１２】
2007034180.tif 000014
【図１３】
2007034180.tif 000015
【図１４】
2007034180.tif 000016